(57)【要約】【課題】化粧皿が、水平面内で、押圧片による押圧箇所を中心にピボット的に回転するようにがたついてしまうことを防止することが可能な化粧料容器を提供する。【解決手段】化粧皿７の外周面の互いに対向する側に、それぞれ第１係合凹部１１および第２係合凹部１２を設け、化粧皿収納部２の内周面の一方の側に、第１係合凹部に係合可能な第１係合突起１３を設けるとともに、化粧皿収納部の内周面の、一方の側と対向する側の中央部に、一端を自由端として弾性変形可能に形成され、第２係合凹部に係合可能な第２係合突起１４が形成された係合片１５が設けられ、係合片の左右に、一端を自由端として弾性変形可能に形成され、第２係合突起よりも少ない突出量に設定されて化粧皿を第１係合突起の方向に押圧する凸部１９が形成された押圧片１８が設けられる。【選択図】図３
2007014497.tif 000002
【特許請求の範囲】
【請求項１】
化粧皿が係合自在に装着される化粧皿収納部が形成された容器本体と、該容器本体に開閉自在に蝶着される蓋体とを備えた化粧料容器であって、
上記化粧皿の外周面の互いに対向する側に、それぞれ第１係合凹部および第２係合凹部を設け、
上記化粧皿収納部の内周面の一方の側に、上記第１係合凹部に係合可能な第１係合突起を設けるとともに、
上記化粧皿収納部の内周面の、上記一方の側と対向する側の中央部に、一端を自由端として弾性変形可能に形成され、上記第２係合凹部に係合可能な第２係合突起が形成された係合片が設けられ、
上記係合片の左右に、一端を自由端として弾性変形可能に形成され、上記第２係合突起よりも少ない突出量に設定されて上記化粧皿を上記第１係合突起の方向に押圧する凸部が形成された押圧片が設けられる
ことを特徴とする化粧料容器。
【発明の詳細な説明】
【技術分野】
【０００１】
本発明は、容器本体の化粧皿収納部に装着された化粧皿が押圧片により押圧されて安定保持される化粧料容器に関し、特に、化粧皿が、水平面内で、押圧片による押圧箇所を中心にピボット的に回転するようにがたついてしまうことを防止することが可能な化粧料容器に関する。
【背景技術】
【０００２】
交換可能な化粧皿が係合自在に装着される化粧皿収納部が容器本体に形成されており、当該化粧皿が、装着された状態で安定的に保持される化粧料容器として、例えば特許文献１に開示されたものが知られている。
【０００３】
特許文献１の化粧料容器は、容器本体と、この容器本体に開閉自在に蝶着される蓋体とを備え、容器本体内に化粧皿を収納するようにした化粧料容器であって、容器本体内に隔壁を介して２つの収納部を形成し、その一方を化粧皿収納部として形成する一方、化粧皿の外周に係合溝を形成し、隔壁の化粧皿収納部側内面に、化粧皿の係合溝に係合可能な第１係合突起を形成する。さらに、化粧皿収納部の隔壁に対向する側の内面には、上下方向に延びる縦スリットによって両側を区画形成された複数の係合片（「爪」）が形成され、当該係合片の下端は、自由端に形成されるとともに、その内面に化粧皿の係合溝に係合可能な第２係合突起が形成されている。これらの係合片間は、下端が自由端であり、係合片よりも大きなバネ力を有する弾性変形可能な押圧片（「保持壁」）となっており、当該押圧片の内面には、第２係合突起よりも少ない突出量を有する凸部が突設されている。この凸部は、化粧皿の係合溝が第１および第２係合突起に係合されて化粧皿が化粧皿収納部に装着された状態で、化粧皿外周の押圧対象面を第１係合突起方向に押圧することによって、化粧皿の係合状態を安定的に保持するようになっている。
【０００４】
また、化粧皿を化粧皿収納部に装着する際には、化粧皿の下端が第２係合突起の上面に押し当たり、係合片の下端側を外側に弾性変形させて押し開きつつ、化粧皿が上方から押し込まれてゆく。化粧皿を化粧皿収納部から離脱させる際には、まず化粧皿の外周面によって、凸部を介して押圧片を外側に押圧して押し開くことによって、化粧皿を隔壁の反対側へと水平移動させ、これにより第１係合突起と係合溝との係合を解除し、当該第１係合突起側が上方となるように斜めに傾けつつ化粧皿を持ち上げて離脱させるようになっている。
【特許文献１】特許第３５６１５６０号公報
【発明の開示】
【発明が解決しようとする課題】
【０００５】
ところで上記背景技術にあっては、図面（特に図３など）などから伺えるように、化粧皿収納部の内面の、隔壁と対向する側には、その中央部に押圧片が設けられ、押圧片の両側に係合片が設けられる配置が想定されていると思われる。ところがこのような配置とした場合、化粧皿を隔壁側に押圧することによって安定保持するための凸部が、化粧皿の押圧対象面の中央部のみを押圧するため、化粧皿が、水平面内で、凸部による押圧箇所を支点にピボット的に回転するようにがたついてしまうおそれがあった。
【０００６】
本発明は上記従来の課題に鑑みて創案されたものであって、化粧皿が、水平面内で、押圧片による押圧箇所を中心にピボット的に回転するようにがたついてしまうことを防止することが可能な化粧料容器を提供することを目的とする。
【課題を解決するための手段】
【０００７】
本発明にかかる化粧料容器は、化粧皿が係合自在に装着される化粧皿収納部が形成された容器本体と、該容器本体に開閉自在に蝶着される蓋体とを備えた化粧料容器であって、上記化粧皿の外周面の互いに対向する側に、それぞれ第１係合凹部および第２係合凹部を設け、上記化粧皿収納部の内周面の一方の側に、上記第１係合凹部に係合可能な第１係合突起を設けるとともに、上記化粧皿収納部の内周面の、上記一方の側と対向する側の中央部に、一端を自由端として弾性変形可能に形成され、上記第２係合凹部に係合可能な第２係合突起が形成された係合片が設けられ、上記係合片の左右に、一端を自由端として弾性変形可能に形成され、上記第２係合突起よりも少ない突出量に設定されて上記化粧皿を上記第１係合突起の方向に押圧する凸部が形成された押圧片が設けられることを特徴とする。
【発明の効果】
【０００８】
本発明にかかる化粧料容器にあっては、化粧皿が、水平面内で、押圧片による押圧箇所を中心にピボット的に回転するようにがたついてしまうことを防止することが可能となる。
【発明を実施するための最良の形態】
【０００９】
以下に、本発明にかかる化粧料容器の好適な一実施形態を、添付図面を参照して詳細に説明する。本実施形態にかかる化粧料容器１は、図１〜図５に示すように、凹状の化粧皿収納部２が形成された容器本体３と、内側に鏡４が設けられた蓋体５とから主に構成される。化粧皿収納部２には、化粧料６が充填される化粧皿７が着脱自在に取り付けられ、これにより化粧皿７の交換（レフィル）が可能となっている。容器本体３の、化粧皿収納部２よりも前端側には凹状の化粧用具収納部８が形成されており、例えばブラシなどの化粧用具がここに収納される。
【００１０】
本実施形態の容器本体３および蓋体５は、いずれも合成樹脂製であって、その平面形状は四隅が円弧をなすほぼ矩形状である。容器本体３に形成された化粧皿収納部２と化粧用具収納部８の平面形状も、同様に四隅が円弧をなすほぼ矩形状である。また、容器本体３の化粧皿収納部２および化粧用具収納部８の外側は周壁３ａによって囲繞されており、化粧皿収納部２と化粧用具収納部８との間は隔壁３ｂによって区画されている。隔壁３ｂの中央部には化粧皿７の着脱操作に利用する、操作用切り欠き部３ｃが形成されている。
【００１１】
容器本体３と蓋体５との間には、容器本体３を開閉するために当該容器本体３に対して蓋体５を回動自在に蝶着する蝶番機構９が設けられている。この蝶番機構９は、容器本体３の後端側周壁３ａに一対突設された蝶番ブロック９ａ間に、蓋体５に形成された蝶番片９ｂが挟み込まれ、これら蝶番ブロック９ａから蝶番片９ｂにわたって、蝶番ピン９ｃが挿通されて構成されており、蝶番片９ｂが蝶番ブロック９ａに対し蝶番ピン９ｃ周りに回動されるようになっている。
【００１２】
また容器本体３と蓋体５との間には、蝶番機構９と反対側（化粧料容器１の前端側）に、容器本体３の閉止状態を維持するためのフック機構１０が設けられている。このフック機構１０は、容器本体３の前端側周壁３ａの中央付近に形成されたフック凹所１０ａと、当該フック凹所１０ａの後端側壁面に設けられたフック用突起１０ｂと、蓋体５の前端から突出され上記フック用突起１０ｂに係脱自在に係合されるフック１０ｃとから構成される。
【００１３】
化粧皿７は、やはり合成樹脂で形成され、その平面形状は化粧皿収納部２の内周面に沿った、ほぼ矩形状である。化粧皿７は、この化粧皿収納部２内に上方から押し込まれて装着される。化粧皿７の、化粧料容器１の前端側（以下、単に前端側という）の下端部７ａ、および化粧料容器１の後端側（以下、単に後端側という）の下端部７ｂは、斜めに切りかかれている。
【００１４】
化粧皿７の外周面の前端側（以下、前端側外周面７ｃという）には水平に延びる溝状の第１係合凹部１１が形成されている。前端側外周面７ｃに対向する後端側（以下、後端側外周面７ｄという）には、第１係合凹部１１と同様の寸法や形状を有する第２係合凹部１２が形成されている。
【００１５】
化粧皿収納部２の内周面の一方の側である前端側（以下、前端側内周面２ａという）には、第１係合凹部１１に対応する位置に、第１係合凹部１１に係合可能な２つの第１係合突起１３が形成されている。これら第１係合突起１３は化粧皿収納部２の内周面と一体的に突出形成されており、その垂直断面形状はほぼ矩形状であるが、その上面は先端側（後端側）にかけて下降するよう斜めに切り欠かれている。
【００１６】
化粧皿収納部２の前端側内周面２ａに対向する後端側（以下、後端側内周面２ｂという）には、その中央部に、後端側内周面２ｂの下端から上方へと延びる一対の内側縦スリット１６ａにより区画形成されて、矩形板状の係合片１５が設けられている。係合片１５の下端は、後端側内周面２ｂの下端、すなわち化粧皿収納部２の底面２ｃに面しているが、底面２ｃからは若干上方に位置している。従って、係合片１５の下端は自由端となっており、係合片１５はその上端、すなわち各内側縦スリット１６ａの上端の高さの部分を基点として弾性変形可能である。係合片１５の下端から若干上方の位置には、その左右方向中央に、上記第２係合凹部１２に係合可能な第２係合突起１４が一体的に突出形成されている。第２係合突起１４の縦断面形状はほぼ矩形状であるが、その上面は先端側（前端側）にかけて下降するよう斜めに切りかかれている。
【００１７】
化粧皿収納部２の後端側内周面２ｂの、係合片１５の左右両側には、矩形板状の押圧片１８が１つずつ設けられている。各押圧片１８は、左右の内側縦スリット１６ａと、当該内側縦スリット１６ａの左右各外側に形成された２本の外側縦スリット１６ｂとにより区画形成されている。各外側縦スリット１６ｂは各内側縦スリット１６ａと同様の形状・寸法である。各押圧片１８の下端は、係合片１５と同様、後端側内周面２ｂの下端、すなわち化粧皿収納部２の底面２ｃに面しているが、底面２ｃからは若干上方に位置している。従って、各押圧片１８の下端は自由端となっており、各押圧片１８はその上端、すなわち各内側縦スリット１６ａおよび各外側縦スリット１６ｂの上端の高さの部分を基点として弾性変形可能である。各押圧片１８の下端中央部分には、化粧皿７を第１係合突起１３の方向、すなわち前端側に押圧するための凸部１９が一体的に突出形成されている。凸部１９の垂直断面は横長の矩形状である。
【００１８】
化粧皿７の前後方向の寸法や、各係合突起１３、１４および凸部１９の化粧皿７側への突出量などは、以下のように設定されている。すなわち、化粧皿７が化粧皿収納部２に装着された状態では、各押圧片１８の凸部１９が化粧皿７の後端側外周面７ｄに当接し、化粧皿７を前端側へと押圧して、化粧皿７の前端側外周面７ｃを化粧皿収納部２の前端側内周面２ａにぴったりと当接させている。このとき、各第１係合突起１３は第１係合凹部１１内に係合される。この状態において、各押圧片１８は、ほぼ後端側にも前端側にも弾性変形していない状態である（図４参照）。またその際、化粧皿７の後端側外周面７ｄと化粧皿収納部２の後端側内周面２ｂとの間には、各凸部１９の突出量だけ間隙が存在しているが、係合片１５に設けられた第２係合突起１４は、各凸部１９よりも大きい突出量に設定されているので、当該間隙部内を通過して第２係合凹部１２内まで突出し、係合されている。
【００１９】
次に、本実施形態にかかる化粧料容器１の作用について説明する。化粧皿７を化粧皿収納部２に装着する際には、化粧皿７を上方から化粧皿収納部２に挿入し、化粧皿７の前端側下端部７ａおよび後端側下端部７ｂがそれぞれ第１係合突起１３および第２係合突起１４の各上面に当接した状態から、さらに押し込んでゆく。すると、後端側では、化粧皿７の後端側下端部７ｂ、続いて後端側外周面７ｄが第２係合突起１４を押圧し、係合片１５を後端側に弾性変形させて押し開き、他方、前端側では、化粧皿７の前端側下端部７ａや前端側外周面７ｃが第１係合突起１３上を摺動しつつこれをかわし、化粧皿７が下降してゆく。この際、化粧皿７の前端側下端部７ａおよび後端側下端部７ｂと、第１、第２係合突起１３、１４の上面はいずれも斜めに下降するよう切り欠かれているため、化粧皿７をスムーズに下方に押し込むことができる。またこの際、必要であれば、各凸部１９をも化粧皿７によって押圧し、各押圧片１８を後端側へと弾性変形させて押し開く。
【００２０】
以上のように下降させた化粧皿７は、各第１係合突起１３および第２係合突起１４が、それぞれ第１係合凹部１１および第２係合凹部１２の高さに位置した時点で、係合片１５が弾性復帰し、第２係合突起１４が第２係合凹部１２に係合するとともに、各第１係合突起１３が第１係合凹部１１に係合することによって、化粧皿収納部２内に装着される。
【００２１】
各係合突起１３、１４が各係合凹部１１、１２に係合されて化粧皿７が化粧皿収納部２に装着された状態では、各押圧片１８の凸部１９が化粧皿７の後端側外周面７ｄを押圧することによって、化粧皿７を前端側に移動させ、化粧皿７の前端側外周面７ｃが化粧皿収納部２の前端側内周面２ａにぴったりと当接され、その結果、第１、第２係合突起１３、１４と各第１、第２係合凹部１１、１２とが係合される。また、この状態で化粧皿７は、２つの押圧片１８によって、後端側外周面７ｄの中央部を挟んだ左右両側から押圧されるので、水平面内でピボット的に回転するようにがたついてしまうことなく、安定に保持される。
【００２２】
また、化粧皿７を化粧皿収納部２から離脱させる際には、まず隔壁３ｂに形成された操作用切り欠き部３ｃを利用して化粧皿７を後端側へと水平に移動させ、各凸部１９を化粧皿７によって押圧して各押圧片１８を後端側に弾性変形させて押し開き、前端側の、各第１係合突起１３と第１係合凹部１１との係合を解除しつつ（図５参照）、化粧皿７の第１係合突起１３側が上方となるように、化粧皿７を斜めに傾けつつ持ち上げて離脱させる。
【００２３】
以上説明したように本実施形態にかかる化粧料容器１にあっては、化粧皿１の互いに対向する前端側外周面７ｃと後端側外周面７ｄとに、それぞれ第１係合凹部１１および第２係合凹部１２を設け、化粧皿収納部２の前端側内周面２ａに、第１係合凹部１１に係合可能な第１係合突起１３を設けるとともに、化粧皿収納部２の、前端側内周面２ａと対向する後端側内周面２ｂの中央部に、下端を自由端として弾性変形可能に形成され、第２係合凹部１２に係合可能な第２係合突起１４が形成された係合片１５が設けられ、当該係合片１５の左右に、下端を自由端として弾性変形可能に形成され、第２係合突起１４よりも少ない突出量に設定されて化粧皿７を第１係合突起１３の方向に押圧する凸部１９が形成された押圧片１８が設けられることとしたので、化粧皿７が、水平面内で、押圧片１８による押圧箇所を中心にピボット的に回転するようにがたついてしまうことを防止することが可能となる。
【００２４】
本実施形態の図示しない変形例として、係合片や押圧片は、上記実施形態のように矩形に限定されるものではなく、例えば半円形、Ｕ字形、Ｖ字形などであってもよい。また、必ずしも下端が自由端であることに限定されるものではなく、例えば上端が自由端となるように形成されてもよい。また、押圧片は係合片の左右に１つずつでなく、それぞれ２つ以上設けられてもよい。それらのような場合であっても、上記実施形態と同様の作用、効果を奏することはもちろんである。
【００２５】
また、第１、第２係合凹部、および第１、第２係合突起の位置や形状、また、凸部の位置や形状などは、上記実施形態のものに限定されるわけではなく、様々な変更が可能である。例えば第１、第２係合凹部は溝状でなく、第１、第２係合突起の外形に沿った矩形状であってもよい。
【００２６】
また、上記実施形態にあっては、第１係合凹部および第１係合突起を化粧料容器の前端側に、第２係合凹部や第２係合突起、凸部などを化粧料容器の後端側に設けることとしたが、これに限定されるものではなく、少なくともこれらが互いに対向する側に設けられていればよい。
【図面の簡単な説明】
【００２７】
【図１】本発明にかかる化粧料容器の好適な一実施形態を示す分解斜視図である。
【図２】図１の化粧料容器の、蓋体を閉止した状態の縦断面図である。
【図３】図１の化粧料容器の、Ａ−Ａ線による断面図である。
【図４】図１の化粧料容器の、蓋体を開放した状態の要部拡大縦断面図である。化粧皿が化粧皿収納部に装着された状態を示している。
【図５】図１の化粧料容器の、蓋体を開放した状態の要部拡大縦断面図である。化粧皿を化粧皿収納部から離脱させる際の状態を示している。
【符号の説明】
【００２８】
１  化粧料容器
２  化粧皿収納部
３  容器本体
５  蓋体
７  化粧皿
１１  第１係合凹部
１２  第２係合凹部
１３  第１係合突起
１４  第２係合突起
１５  係合片
１８  押圧片
１９  凸部
【図１】
2007014497.tif 000003
【図２】
2007014497.tif 000004
【図３】
2007014497.tif 000005
【図４】
2007014497.tif 000006
【図５】
2007014497.tif 000007